(57)【要約】      （修正有）【課題】測定対象に影響を与えうる外部指標の変化に応じて測定対象を測定するためのセンサの測定条件を適切に設定するセンサシステムを提供する。【解決手段】センサシステム１Ｘは、第１および第２のセンサと、第１のセンサ１２の測定結果が予め定められた条件を満たした場合に検知信号を出力するための判定部１４と、第２のセンサ３６の測定条件を格納するための測定条件記憶部３８と、検知信号を受信した場合に測定条件に従う測定とは別に第２のセンサ３６による測定を実行し、当該測定した測定結果に基づいて測定条件記憶部３８に格納される第２のセンサ３６の測定条件を更新するための制御部３４とを備える。【選択図】図１
2017185141.tif 000002
【特許請求の範囲】
【請求項１】
第１および第２のセンサと、
前記第１のセンサの測定結果が予め定められた条件を満たした場合に検知信号を出力するための判定部と、
前記第２のセンサの測定条件を格納するための測定条件記憶部と、
前記検知信号を受信した場合に前記測定条件に従う測定とは別に前記第２のセンサによる測定を実行し、当該測定した測定結果に基づいて前記測定条件記憶部に格納される前記第２のセンサの測定条件を更新するための制御部とを備える、センサシステム。
【請求項２】
前記測定条件記憶部に格納される前記第２のセンサの測定条件は、測定頻度および測定にかける時間のうち少なくともいずれか一方を含む、請求項１に記載のセンサシステム。
【請求項３】
前記第１および第２のセンサのうち一方のセンサは移動不能に構成され、他方のセンサは移動可能に構成される、請求項１に記載のセンサシステム。
【請求項４】
前記他方のセンサは、人体に装着可能に構成される、請求項３に記載のセンサシステム。
【請求項５】
前記一方のセンサは環境情報を取得し、前記他方のセンサは生体情報を取得する、請求項３に記載のセンサシステム。
【請求項６】
前記第２のセンサの、前記測定条件記憶部に格納される測定条件に従い測定する第１の測定結果と、前記検知信号の受信に従い測定する第２の測定結果とを区別して格納するための記憶装置をさらに含み、
前記制御部は、前記記憶装置に格納される前記第１の測定結果と前記第２の測定結果とに基づいて前記測定条件記憶部に格納される前記第２のセンサの測定条件を更新する、請求項１に記載のセンサシステム。
【請求項７】
前記制御部は、所定のしきい値を下回る前記第１の測定結果の数、前記所定のしきい値を下回る前記第２の測定結果の数、前記所定のしきい値以上の前記第１の測定結果の数、および前記所定のしきい値以上の前記第２の測定結果の数に基づいて、前記測定条件記憶部に格納される前記第２のセンサの測定条件を更新する、請求項６に記載のセンサシステム。
【請求項８】
前記制御部は、前記検知信号を受信することにより測定する前記第２のセンサの測定結果に基づいて外部装置に制御信号を送信する、請求項１に記載のセンサシステム。
【請求項９】
前記第１のセンサを含む第１センサ端末を複数備え、
前記複数の第１センサ端末の各々は、前記複数の第１センサ端末のうち他の第１センサ端末と通信するための通信部を含む、請求項１に記載のセンサシステム。
【請求項１０】
前記第２のセンサを含む第２センサ端末を複数含み、
前記複数の第２センサ端末の各々は、前記複数の第２センサ端末のうち他の第２センサ端末と通信するための通信部を含む、請求項１に記載のセンサシステム。
【請求項１１】
センサと、
前記センサの測定条件を格納するための測定条件記憶部と、
外部装置から予め定められた信号を受信した場合に前記測定条件に従う測定とは別に前記センサによる測定を実行し、当該測定した測定結果に基づいて前記測定条件記憶部に格納される前記センサの測定条件を更新するための制御部とを備える、センサシステム。
【請求項１２】
第１のセンサと、
前記第１のセンサの測定結果が予め定められた条件を満たすか否かを判定する判定部と、
前記予め定められた条件を満たすと判定された場合に、第２のセンサを含む他のシステムに対して、当該第２のセンサの測定条件を変更するための検知信号を送信するための通信部とを備える、センサシステム。
【発明の詳細な説明】
【技術分野】
【０００１】
この開示は、センサシステムに関し、より特定的には、複数のセンサを有するセンサシステムに関する。
【背景技術】
【０００２】
ＩｏＴ（Internet of Things）の発展において、社会のあらゆる場所に存在するセンサ端末からどのようにデータを収集するのか、が重要な問題になる。特に、センサ端末がハーベスト電源や電池で駆動するなどの供給電力に制約がある場合には、センサの測定時間や測定頻度が制限されるため、効率的にデータを取得することが求められる。
【０００３】
センサの効率的なデータ取得の技術に関し、特開２０１０−０５７５５２号公報（特許文献１）は、複数項目の生体指標について測定値を蓄積し、各生体指標の変動パターンや生体指標間の相関を求め、ある生体指標に関して変動パターンから外れた値が測定された場合に、他の生体指標との相関に基づき、健康状態の評価に必要な生体指標の種類、その測定タイミング、測定回数などを決定し、ユーザに提示する構成を開示している。
【先行技術文献】
【特許文献】
【０００４】
【特許文献１】特開２０１０−０５７５５２号公報
【発明の概要】
【発明が解決しようとする課題】
【０００５】
しかしながら、特許文献１に開示される技術は、決定した測定タイミングをユーザに提示するに過ぎず、実際の測定タイミングはユーザに依存する。さらに、同技術は、ユーザの状態変化、すなわち、測定対象の変化に基づいて、センサの測定タイミングを決定するものであって、測定対象とは独立し、かつ、測定対象に影響を与えうる外部指標の変化を考慮しない。
【０００６】
本開示は、上記のような問題を解決するためになされたものであって、ある局面における目的は、測定対象に影響を与えうる外部指標の変化に応じて測定対象の測定条件を適切に設定することができるセンサシステムを提供することである。
【０００７】
その他の課題と新規な特徴は、本明細書の記述および添付図面から明らかになるであろう。
【課題を解決するための手段】
【０００８】
一実施形態によれば、センサシステムは、第１および第２のセンサと、第１のセンサの測定結果が予め定められた条件を満たした場合に検知信号を出力するための判定部と、第２のセンサの測定条件を格納するための測定条件記憶部と、検知信号を受信した場合に測定条件に従う測定とは別に第２のセンサによる測定を実行し、当該測定したデータに基づいて測定条件記憶部に格納される第２のセンサの測定条件を更新するための制御部とを備える。
【発明の効果】
【０００９】
一実施形態に従うセンサシステムは、測定対象に影響を与えうる外部指標の変化に応じて、測定対象の測定条件を適切に設定することができる。
【図面の簡単な説明】
【００１０】
【図１】実施形態に従うセンサシステムの概要を説明する図である。
【図２】実施形態１に従うセンサシステムのシステム構成の概要を説明する図である。
【図３】実施形態１に従うセンサシステムの構成例を説明する図である。
【図４】実施形態１に従う環境モニタリングシステムの制御について説明するフローチャートである。
【図５】実施形態１に従うヘルスケアシステムの制御について説明するフローチャートである。
【図６】実施形態１に従う生体センサの測定条件を更新する制御について説明するフローチャートである。
【図７】熱中症の原因を説明する図である。
【図８】図６のステップＳ６６における他の制御例を説明する図である。
【図９】実施形態２に従うセンサシステムの構成例を説明する図である。
【図１０】実施形態２に従うヘルスケアシステムの制御について説明するフローチャートである。
【図１１】実施形態２に従う環境センサの測定条件を更新する制御について説明する図である。
【図１２】実施形態３に従うセンサシステムの構成例を説明する図である。
【図１３】実施形態３に従うセンサシステムの使用例について説明する図である。
【発明を実施するための形態】
【００１１】
以下、この発明の実施形態について図面を参照しながら詳細に説明する。なお、図中同一または相当部分には同一符号を付し、その説明は繰り返さない。
【００１２】
［Ａ．概要］
図１は、実施形態に従うセンサシステム１Ｘの概要を説明する図である。図１を参照して、センサシステム１Ｘは、センシングシステム１０とセンシングシステム３０とを有する。センシングシステム１０は、センサ１２と、判定部１４と、信号伝達部１６とを含む。センシングシステム３０は、信号伝達部３２と、制御部３４と、センサ３６と、測定条件記憶部３８とを含む。センシングシステム１０および３０は、通常時、互いに独立して測定などの動作を行うが、後述する所定の条件を満たした場合に互いに連携して動作を行うように構成されている。
【００１３】
センサ１２は、外部指標（たとえば、温度）を測定し、その測定結果を判定部１４に出力する。判定部１４は、センサ１２の測定結果が予め定められた条件を満たすか否かを判定し、当該条件を満たした場合に、信号伝達部１６を介してセンシングシステム３０に検知信号を送信する。
【００１４】
制御部３４は、測定条件記憶部３８に格納される測定条件（たとえば、３分おきに測定する）に従って、センサ３６によって測定対象の測定を行う。制御部３４は、信号伝達部３２を介してセンシングシステム１０から検知信号を受信すると、測定条件記憶部３８に格納される測定条件とは別に、センサ３６によって測定を行う。制御部３４は、当該測定結果に基づいて測定条件記憶部３８に格納される測定条件を更新する。たとえば、制御部３４は、当該測定結果が異常値を示す場合に、測定頻度をあげるように測定条件記憶部３８に格納される測定条件を更新する。
【００１５】
上記によれば、実施形態に従うセンサシステム１Ｘは、測定対象に影響を与えうる外部指標の変化を測定し、この外部指標の変化に応じた測定対象の状態に基づいて、測定対象の測定条件を適切に設定することができる。以下、このセンサシステムを実現するための構成および制御について説明を行う。
【００１６】
［Ｂ．実施形態１］
（ｂ１．センサシステム１の全体構成）
図２は、実施形態１に従うセンサシステム１のシステム構成の概要を説明する図である。図２を参照して、センサシステム１は、外部指標を測定するための環境モニタリングシステム１０と、測定対象を測定するためのヘルスケアシステム３０とを含む。実施形態１において、外部指標は、一例として、温度、湿度、などの環境情報であるとする。また、実施形態１において、測定対象は、体温、血圧などの生体情報であるとする。外部環境の変化は生体に影響を与えるので、環境情報と生体情報はある期間において関連性がある。
【００１７】
環境モニタリングシステム１０は、環境情報を取得するための環境モニタ端末１００と、環境モニタ端末１００を制御するための環境モニタ用コントローラ２００とを含む。ヘルスケアシステム３０は、生体情報を取得するためのヘルスケア端末３００と、ヘルスケア端末３００を制御するためのヘルスケア用コントローラ４００とを含む。
【００１８】
（ｂ２．センサシステム１の構成）
図３は、実施形態１に従うセンサシステム１の構成例を説明する図である。図３を参照して、環境モニタ端末１００は、通信部１１０と、判定部１２０と、風量計１３０と、大気汚染濃度計１４０と、温度計１５０と、湿度計１６０とデータ格納部１６５とを有する。通信部１１０は、環境モニタ用コントローラ２００と通信可能に構成される。実施形態１において、環境モニタ端末１００は、一例として、風量、大気汚染濃度、温度、および湿度の環境情報を取得する。
【００１９】
環境情報を取得するための風量計１３０、大気汚染濃度計１４０、温度計１５０、および湿度計１６０（以下、総称して「環境センサ」とも称する。）は、測定結果を判定部１２０およびデータ格納部１６５に出力する。判定部１２０は、環境センサから受信した環境情報が、予め定められた条件を満たすか否かを判定し、当該条件を満たすと判断した場合に通信部１１０を介して環境モニタ用コントローラ２００に検知信号を出力する。データ格納部１６５は、一時的に環境情報を格納するための格納部である。環境モニタ端末１００は、データ格納部１６５に格納されるデータが所定量に到達すると、当該でデータを環境モニタ用コントローラ２００に出力する。
【００２０】
環境モニタ端末１００は、ユーザが日常活動を行う建物の室内または周囲に取り付けて固定されることが好ましい。
【００２１】
環境モニタ用コントローラ２００は、信号伝達部２１０と、データ記憶部２２０と、通信部２３０と、制御部２４０とを有する。信号伝達部２１０は環境モニタリングシステム１０と通信可能に構成される。データ記憶部２２０は、通信部２３０を介して環境センサから受信した環境情報を記憶する。制御部２４０は、データ記憶部２２０に格納される環境情報などに基づいて環境モニタ用コントローラ２００の全体動作を司る。環境モニタ用コントローラ２００は、制御部２４０で決定される測定条件に従い、環境センサを制御する制御指令を環境モニタ端末１００に出力する。なお、後述するセンサデータの処理は図示しないデータ処理部が行う。
【００２２】
ヘルスケア端末３００は、通信部３１０と、活動量計３２０と、血圧計３３０と、体温計３４０と、測定条件記憶部３５０と、表示部３６０と、データ格納部３６５とを有する。ヘルスケア端末３００に搭載される各デバイスは、図示しない電池から電力を供給される。ヘルスケア端末３００は、一例として、リストバンド型の端末であって、ユーザの身体に装着可能に構成されるものとする。すなわち、ヘルスケア端末３００は、ユーザの移動とともに移動可能に構成される。なお、ヘルスケア端末３００の形態は、絆創膏型など、人体に装着しやすい形態であればよい。ヘルスケア端末３００が絆創膏型の端末である場合、血圧計３３０は、ユーザの腕に巻かれることなく（たとえば、光学的に）血圧を測定する。
【００２３】
通信部３１０は、ヘルスケア用コントローラ４００と通信可能に構成される。実施形態１において、ヘルスケア端末３００は、一例として、活動量、血圧、および体温の生体情報を取得する。生体情報を取得するための活動量計３２０、血圧計３３０、および体温計３４０（以下、総称して「生体センサ」とも称する。）は、測定結果を表示部３６０およびデータ格納部３６５に出力する。表示部３６０は、生体センサから入力される生体情報をユーザに提示する。データ格納部３６５は、一時的に生体情報を格納するための格納部である。所定条件を満たした場合に、ヘルスケア端末３００は、データ格納部３６５に格納される生体情報を通信部３１０を介してヘルスケア用コントローラ４００に出力する。測定条件記憶部３５０は、生体センサの各々の測定条件を格納する。測定条件記憶部３５０及びデータ格納部３６５は頻繁に稼働（読み書き）と停止を繰り返す可能性があるので、ＲｅＲＡＭ（Resistive Random Access Memory）のような低消費電力かつランダムアクセス可能な不揮発メモリであることが望ましい。
【００２４】
ヘルスケア用コントローラ４００は、信号伝達部４１０と、データ記憶部４２０と、通信部４３０と、制御部４５０とを有する。信号伝達部４１０は信号伝達部２１０と、通信部４３０は通信部３１０と、それぞれ通信可能に構成される。データ記憶部４２０は、通信部４３０を介して生体センサから受信した生体情報を記憶する。制御部４５０は、ヘルスケア用コントローラ４００の全体動作を司る。制御部４５０は、所定の条件を満たした場合に、測定条件記憶部３５０に格納される測定条件（以下、「生体センサの測定条件」とも称する。）を更新する。なお、後述するセンサデータの処理は図示しないデータ処理部が行う。
【００２５】
通信部１１０と通信部２３０、通信部３１０と通信部４３０、および信号伝達部２１０と信号伝達部４１０の信号の送受信は、無線であることが好ましいが、有線で接続される構成であってもよい。次に、環境モニタリングシステム１０の動作について説明する。
【００２６】
（ｂ３．環境モニタリングシステム１０の動作）
図４は、実施形態１に従う環境モニタリングシステム１０の制御について説明するフローチャートである。図４に示される処理は、環境モニタ端末１００および環境モニタ用コントローラ２００が制御プログラムを実行することにより実現される。他の局面において、処理の一部または全部が、回路素子その他のハードウェアによって実行されてもよい。なお、当該条件は、後述する図１１においても同様とする。
【００２７】
図４を参照して、ステップＳ１０において、環境センサは、環境モニタ用コントローラ２００からの制御信号に基づいて、環境情報を取得し、当該環境情報を判定部１２０およびデータ格納部１６５に出力する。ステップＳ１２において、環境モニタ端末１００は、取得した環境情報に基づいて、環境情報の変化を検知したか否かを判定する。より具体的には、判定部１２０が、取得した環境情報が予め定められた条件を満たしたか否かを判定する。
【００２８】
環境モニタ端末１００は、取得した環境情報が予め定められた条件と満たしたと判断した場合（ステップＳ１２においてＹＥＳ）、通信部１１０を介して環境モニタ用コントローラ２００に検知信号を送信する。環境モニタ用コントローラ２００は、ステップＳ２０において、環境モニタ端末１００から検知信号を受信すると、ステップＳ２２において受信した検知信号をヘルスケアシステム３０に送信する。環境モニタ用コントローラ２００におけるステップＳ２０および２２の処理は、いわゆる割り込み処理であって、通常の処理とは異なる処理である。環境モニタ用コントローラ２００は、ステップＳ２２において検知信号を送信した後、一連の割り込み処理を終了する。その後、環境モニタ用コントローラ２００は、通常の処理に復帰して、環境モニタ端末１００からの環境情報の受信を待機する。
【００２９】
一方、環境モニタ端末１００は、取得した環境情報が予め定められた条件と満たさないと判断した場合（ステップＳ１２においてＮＯ）、処理をステップＳ１６に進める。ステップＳ１６において、環境モニタ端末１００は、データ格納部１６５に格納されるセンサデータ（環境情報）が所定量に到達したか否かを判断する。所定量は、一例として、２５６ｋＢとする。
【００３０】
環境モニタ端末１００は、データ格納部１６５に格納されるデータ量が所定量に到達したと判断した場合（ステップＳ１６においてＹＥＳ）、格納されるセンサデータ（環境情報）を環境モニタ用コントローラ２００に送信する（ステップＳ１８）。これにより、環境モニタ端末１００は、環境情報を測定するたびに環境モニタ用コントローラ２００と通信を行う必要がなくなり、消費電力を抑えることができる。
【００３１】
ステップＳ２４において、環境モニタ用コントローラ２００は、環境モニタ端末１００から送信された環境情報を受信する。ステップＳ２６において、環境モニタ用コントローラ２００は、受信した環境情報をデータ記憶部２２０に格納する。一方、環境モニタ端末１００は、データ格納部１６５に格納されるデータ量が所定量に到達していないと判断した場合（ステップＳ１６においてＮＯ）、処理をステップＳ１０に戻し、再び環境モニタ用コントローラ２００から制御信号を入力されるまで待機する。次に、ヘルスケアシステム３０の動作について説明する。
【００３２】
（ｂ４．ヘルスケアシステム３０の動作）
図５は、実施形態１に従うヘルスケアシステム３０の制御について説明するフローチャートである。図５に示される処理は、ヘルスケア端末３００およびヘルスケア用コントローラ４００が制御プログラムを実行することにより実現される。他の局面において、処理の一部または全部が、回路素子その他のハードウェアによって実行されてもよい。なお、当該条件は、後述する図６および１０においても同様とする。
【００３３】
図５を参照して、ステップＳ３０において、ヘルスケア端末３００は、スリープモードで待機をする。ヘルスケア端末３００は、生体センサによる生体情報の取得を行うアクティブモードと、不要な機能を停止させることでアクティブモードよりも消費電力を抑えたスリープモードとを切り替え可能に構成される。ヘルスケア端末３００は、スリープモードにおいて、生体センサへの電力供給を遮断することにより消費電力を抑制する。なお、活動量計３２０は、ユーザの活動量を測定するという特性上、常に測定を行うことが好ましい。そのため、他の局面において、ヘルスケア端末３００は、スリープモードにおいても活動量計３２０に電力を供給する構成であってもよい。
【００３４】
ステップＳ３２において、ヘルスケア端末３００は、スリープモードに切り替わってから所定時間が経過したか否かを判断する。当該所定時間は、測定条件記憶部３５０に格納されている。一例として、所定時間は、１分とする。ヘルスケア端末３００は、所定時間が経過したと判断した場合（ステップＳ３２においてＹＥＳ）、処理をステップＳ３４に進め、スリープモードからアクティブモードへと切り替える。一方、ヘルスケア端末３００は、所定時間が経過していないと判断した場合（ステップＳ３２においてＮＯ）、処理をステップＳ３０に戻す。
【００３５】
ステップＳ３６において、ヘルスケア端末３００は、生体センサによって生体情報を測定し、測定結果を表示部３６０に表示するとともに、データ格納部３６５に記憶する。
【００３６】
ステップＳ３８において、ヘルスケア端末３００は、ヘルスケア用コントローラ４００と通信可能であって、かつ、送信タイミングであるか否かを判断する。具体的には、ヘルスケア端末３００は、通信部３１０と通信部４３０との間で通信が確立した場合にヘルスケア用コントローラ４００と通信可能であると判断する。送信タイミングの一例として、ヘルスケア端末３００は、直近２４時間以内にヘルスケア用コントローラ４００に生体情報を送信していない場合、送信タイミングであると判断する。
【００３７】
ヘルスケア端末３００は、ヘルスケア用コントローラ４００と通信可能であって、かつ、送信タイミングであると判断した場合（ステップＳ３８においてＹＥＳ）、データ格納部３６５に格納される生体情報をヘルスケア用コントローラ４００に送信する（ステップＳ４０）。ヘルスケア用コントローラ４００は、ステップＳ５０においてヘルスケア端末３００から生体情報を受信するとともに、ステップＳ５２において、受信した生体情報をデータ記憶部４２０に格納する。
【００３８】
ヘルスケア端末３００は、ヘルスケア用コントローラ４００と通信可能でない、または、送信タイミングでないと判断した場合（ステップＳ３８においてＮＯ）、処理をステップＳ４２に進める。ステップＳ４２において、ヘルスケア端末３００は、電池の使用限界である、または、ヘルスケア用コントローラ４００から停止命令を受信したか否かを判断する。一例として、ヘルスケア端末３００は、電池の電圧が３．３Ｖ以下になると、電池の使用限界であると判断する。
【００３９】
ヘルスケア端末３００は、電池の使用限界である、または、停止命令を受信していると判断した場合（ステップＳ４２においてＹＥＳ）、処理を終了する。一方、ヘルスケア端末３００は、電池の使用限界でなく、かつ、停止命令を受信していないと判断した場合（ステップＳ４２においてＮＯ）、処理をステップＳ３０に戻し、スリープモードへと切り替える。ヘルスケア用コントローラ４００は、ヘルスケア端末３００から取得した日々の活動量、体温、血圧といった生体情報に基づいてユーザの健康を管理する。次に、測定条件記憶部３５０に格納される生体センサの測定条件を更新する制御について説明する。
【００４０】
（ｂ５．測定条件の更新）
図６は、実施形態１に従う生体センサの測定条件を更新する制御について説明するフローチャートである。
【００４１】
ステップＳ６０において、ヘルスケア用コントローラ４００は、環境モニタ用コントローラ２００がステップＳ２２（図４参照）で送信した検知信号を受信する。ステップＳ６２において、ヘルスケア用コントローラ４００は、検知信号の受信に応じて、生体センサの各々に生体情報の取得を命じる取得命令を送信する。
【００４２】
ステップＳ７０において、ヘルスケア端末３００は、ヘルスケア用コントローラ４００から取得命令を受信し、ステップＳ７２において生体センサによりユーザの生体情報（センサデータ）を取得する。ステップＳ７４において、ヘルスケア端末３００は、取得した生体情報をヘルスケア用コントローラ４００に送信する。
【００４３】
ステップＳ６４において、ヘルスケア用コントローラ４００は、ヘルスケア端末３００から生体情報を受信し、ステップＳ６６において受信した生体情報が予め定められた条件を満たすか否かを判断する。ステップＳ６６の詳細は、後述される。
【００４４】
ヘルスケア用コントローラ４００は、受信した生体情報が予め定められた条件を満たすと判断した場合（ステップＳ６６においてＹＥＳ）、生体センサの測定条件をヘルスケア端末３００に送信する（ステップＳ６８）。
【００４５】
ステップＳ６９において、ヘルスケア用コントローラ４００は、受信した生体情報（センサデータ）を、検知信号と関連付けてデータ記憶部４２０に保存する。すなわち、ヘルスケア用コントローラ４００は、測定条件記憶部３５０に格納される測定条件に従い測定された生体情報と、検知信号に応じて測定された生体情報とを区別してデータ記憶部４２０に格納する。なお、他の局面において、ヘルスケア用コントローラ４００は、検知信号の代わりに環境情報と生体情報とを関連付けてデータ記憶部４２０に保存する構成であってもよい。かかる場合、ステップＳ１４において、環境モニタ用コントローラ２００は、検知信号とともに環境情報をヘルスケア用コントローラ４００に送信する。
【００４６】
ステップＳ７６において、ヘルスケア端末３００は、ヘルスケア用コントローラ４００から生体センサの測定条件を受信する。ステップＳ７８において、ヘルスケア端末３００は、測定条件記憶部３５０に格納される測定条件を、受信した測定条件を用いて更新する。
【００４７】
上記によれば、センサシステム１は、測定対象に影響を与えうる外部指標（環境情報）の変化を検知し、当該外部指標の変化に応じた測定対象（ユーザ）の状態に基づいて、測定対象の測定条件を適切に設定することができる。これにより、ヘルスケア端末３００は、電池などの限られた電力のなかでユーザに有益な生体情報を効率的に取得することができる。
【００４８】
（ｂ６．測定条件の更新−具体例）
以下、生体センサの測定条件を更新する具体例を説明する。一例として、熱中症を対策するために生体センサの測定条件を更新する例について説明する。
【００４９】
図７は、熱中症の原因を説明する図である。図７を参照して、熱中症を引き起こす要因は、人間（ヘルスケア端末３００のユーザ）の状態に起因するものと、外部環境に起因するものに大別することができる。
【００５０】
外部環境に起因する熱中症の原因として、気温が高い、湿度が高いといった原因が挙げられる。そのため、図４のステップＳ１２において、環境モニタ端末１００は、温度計１５０の温度が３５℃を超えた場合、および湿度計１６０の湿度が６０％を超えた場合のいずれか一方を満たす場合に、外部環境の変化を検知したと判断する。
【００５１】
一方、ユーザの状態に起因する熱中症の原因として、水分の不足が挙げられる。ヘルスケア端末３００を装着するユーザの水分不足は血圧の低下として観測可能である。そのため、図６のステップＳ６２において、ヘルスケア用コントローラ４００は、環境モニタ用コントローラ２００からの検知信号に応じて、血圧計３３０に対してユーザの血圧を測定する旨の取得命令を送信する。これに応じて、血圧計３３０は、測定条件記憶部３５０に格納される測定条件とは別に、ユーザの血圧を測定する。ヘルスケア端末３００は、検知信号に応じて測定した血圧計３３０の測定結果を、ヘルスケア用コントローラ４００に送信する。
【００５２】
ステップＳ６６において、ヘルスケア用コントローラ４００は、受信した検知信号に応じて測定された血圧が所定のしきい値を下回るか否かを判断する。一例として、ヘルスケア用コントローラ４００は、最高血圧（収縮期血圧）が１００ｍｍＨｇを下回るか否かを判断する。このしきい値は、データ記憶部４２０に格納されているものとする。このしきい値は、医療的知見に基づく値であることが好ましい。さらに他の局面において、このしきい値は、ヘルスケア端末３００を装着するユーザの性別、年代の別に定義される値であってもよい。
【００５３】
ステップＳ６８において、ヘルスケア用コントローラ４００は、受信した検知信号に応じて測定された血圧が所定のしきい値を下回ると判断した場合、血圧計３３０の測定精度を上げる測定条件をヘルスケア端末３００に送信する。ヘルスケア端末３００を装着するユーザが熱中症に罹患する危険性が高く、ユーザの状態をより詳細に監視する必要があるためである。測定精度を上げる制御例として、血圧計などのセンサの測定頻度（サンプリングレート）を上げる、一度にかける測定時間を長くする、などの制御が挙げられる。一例として、ヘルスケア用コントローラ４００は、データ記憶部４２０に格納される複数の測定条件の中から、より現在設定している測定条件よりも精度が高い測定条件を選択し、ヘルスケア端末３００に送信する。
【００５４】
なお、他の局面において、ヘルスケア用コントローラ４００は、検知信号を受信してから所定期間内の活動量計３２０の測定結果をさらに考慮して、生体センサの測定条件を決定する構成であってもよい。図７に示されるように、運動時は熱中症の可能性が高くなる。そのため、ヘルスケア用コントローラ４００は、活動量計３２０の測定結果に基づき、検知信号を受信した際にユーザが運動をしていると判断した場合、ユーザがより熱中症になる可能性が高いと判断することができる。
【００５５】
ステップＳ７６および７８において、ヘルスケア端末３００は、受信した測定条件を用いて測定条件記憶部３５０に格納される測定条件を更新する。なお、他の局面において、ヘルスケア端末３００は、ヘルスケア用コントローラ４００からの測定条件の受信に応じて、表示部３６０に、熱中症の危険性がある旨を警告する画像を表示する構成であってもよい。
【００５６】
上記によれば、センサシステム１は、ヘルスケア端末３００のユーザが自覚するしないにかかわらず、環境情報の変化に応じてユーザが危険な状態になると、よりユーザの状態を詳細に監視するために生体センサの測定精度を向上させることができる。すなわち、センサシステム１は、ヘルスケア端末３００をユーザごとに最適化することができる。
【００５７】
（ｂ７．測定条件の更新−変形例１）
上記の例において、センサシステム１は、検知信号に応じて測定された測定結果に基づいて測定条件記憶部３５０に格納される測定条件を更新する構成であったが、これに限られない。他の局面において、センサシステム１は、測定条件記憶部３５０に格納される測定条件に従い測定された測定結果（以下、「通常データ」とも称する）と、検知信号に応じて測定された測定結果（以下、「突発データ」とも称する）とに基づいて、測定条件を更新する構成であってもよい。
【００５８】
図８は、図６のステップＳ６６における他の制御例を説明する図である。図８において、データ記憶部４２０に格納される通常データと突発データとが、血圧値（たとえば、最高血圧値）ごとのデータ数の分布として表現される。
【００５９】
図８に示されるように、データ記憶部４２０に格納される血圧のデータ数は、所定のしきい値未満の通常データ数（以下、「ＮＬ」とも称する）、しきい値以上の通常データ数（以下、「ＮＨ」とも称する）、しきい値未満の突発データ数（以下、「ＡＬ」とも称する）、およびしきい値以上の突発データ数（以下、「ＡＨ」とも称する）を足し合わせた値となる。
【００６０】
ヘルスケア用コントローラ４００は、ヘルスケア端末３００のユーザが熱中症になる可能性を示す指標Ａを、以下の式（１）を用いて算出する。
【００６１】
【数１】
2017185141.tif 000003
【００６２】
ヘルスケア用コントローラ４００は、指標Ａの値が大きいほど、通常データのしきい値に対する分布と、突発データのしきい値に対する分布とがより異なる。ヘルスケア用コントローラ４００は、指標Ａの値が大きいほどユーザが熱中症になる可能性が高いと判断する。一例として、ヘルスケア用コントローラ４００は、指標Ａが０．８以上のときに、図６のステップＳ６６に示される予め定められた条件を満たすと判断する。
【００６３】
上記によれば、センサシステム１は、通常データと突発データとの統計データに基づいて測定条件を変更することができる。当該構成に従うセンサシステム１は、受信した検知信号に応じて測定された測定結果にのみ基づいて判断する構成に比して、高精度に熱中症になる可能性を判断することができる。
【００６４】
なお、通常データ数と突発データ数とは、データ数が大きく異なることが多い。そのため、ヘルスケア用コントローラ４００は、図６のステップＳ６８において、両者が統計データとして比較可能になるように、血圧計３３０の一度にかける測定時間を長く設定してもよい。
【００６５】
（ｂ８．測定条件の更新−変形例２）
上記の例において、センサシステム１は、既知の症状（熱中症）を対策する構成、すなわち、予め測定条件を変更する生体センサを把握している構成であった。他の局面において、センサシステム１は、未知の症状を対策する構成であってもよい。以下、この構成について説明する。
【００６６】
ヘルスケア用コントローラ４００は、環境モニタ用コントローラ２００から検知信号を受信すると、通常データと突発データとを統計データとして比較可能になるまでヘルスケア端末３００に搭載されるすべての生体センサにより生体情報の測定を行う。一例として、ヘルスケア用コントローラ４００は、ある生体情報についての突発データのデータ数が所定値（たとえば、１００個）に到達するまですべての生体センサにより生体情報を取得する。
【００６７】
ヘルスケア用コントローラ４００は、突発データのデータ数が所定値に到達すると、生体情報の各々について、上記式（１）に示される指標Ａを算出する。ヘルスケア用コントローラ４００は、指標Ａが予め定められた値（たとえば、０．８）以上である生体情報に対応する生体センサの測定条件を変更する。ヘルスケア用コントローラ４００は、突発データのデータ数が所定値に到達した後は、検知信号の受信に応じて、測定条件を変更した生体センサのみ測定を行う。
【００６８】
上記によれば、センサシステム１は、未知の症状に対しても、外部環境の変化に応じたユーザの状態変化に基づいて、生体センサの測定条件を変更することができる。また、センサシステム１は、測定条件を変更した後は、検知信号を受信しても、外部環境の変化に関係しない生体情報を取得しない。
【００６９】
（ｂ９．複数のヘルスケア端末３００）
上記の例において、ヘルスケア用コントローラ４００と通信を行うヘルスケア端末３００は１台である。他の局面において、ヘルスケア用コントローラ４００は、複数のヘルスケア端末３００と通信を行う構成であってもよい。たとえば、住宅にヘルスケア用コントローラ４００を設け、当該住宅に住む家族がヘルスケア端末３００を身に着ける構成であってもよい。他の例において、会社にヘルスケア用コントローラ４００を設け、従業員がヘルスケア端末３００を身に着ける構成であってもよい。
【００７０】
かかる場合、図６のステップＳ６６の判断に用いられる所定のしきい値は、ヘルスケア用コントローラ４００に接続されるすべてのヘルスケア端末３００から得られる生体情報の平均値であってもよい。
【００７１】
［Ｃ．実施形態２］
実施形態１に従うセンサシステム１は、熱中症対策を例に、環境モニタリングシステム１０からヘルスケアシステム３０に検知信号を送信する構成を説明した。実施形態２に従うセンサシステム１Ａは、ヘルスケアシステムから環境モニタリングシステムにも検知信号を送信する。すなわち、センサシステム１Ａは、ヘルスケア端末を装着するユーザの状態（生体情報）を外部指標として、この状態変化に応じた環境情報の測定も行う。以下、センサシステム１Ａの構成および制御について説明する。なお、センサシステム１Ａの基本構成はセンサシステム１と略同じであるため、相違する点についてのみ説明を行う。
【００７２】
（ｃ１．センサシステム１Ａの構成）
図９は、実施形態２に従うセンサシステム１Ａの構成例を説明する図である。図９を参照して、センサシステム１Ａは、環境モニタリングシステム１０Ａと、ヘルスケアシステム３０Ａとを含む。環境モニタリングシステム１０Ａは、環境モニタ端末１００Ａと、環境モニタ用コントローラ２００Ａとを有する。ヘルスケアシステム３０Ａは、ヘルスケア端末３００Ａと、ヘルスケア用コントローラ４００Ａとを有する。
【００７３】
環境モニタ端末１００Ａは、環境モニタ端末１００に比してさらに測定条件記憶部１７０を有する。測定条件記憶部１７０は、環境センサの各々の測定条件を格納する。
【００７４】
ヘルスケア端末３００Ａは、ヘルスケア端末３００に比してさらに判定部３７０を有する。判定部３７０は、生体センサから受信した生体情報が、予め定められた条件を満たすか否かを判定し、当該条件を満たすと判断した場合に通信部３１０を介してヘルスケア用コントローラ４００に生体情報の変化に基づく検知信号（以下、「生体検知信号」とも称する）を出力する。
【００７５】
（ｃ２．ヘルスケアシステム３０Ａの動作）
図１０は、実施形態２に従うヘルスケアシステム３０Ａの制御について説明するフローチャートである。なお、図５と同じ符号を付している部分については同じであるので、その部分の説明は繰り返さない。
【００７６】
ステップＳ８０において、ヘルスケア端末３００Ａは、取得した生体情報（センサデータ）に基づいてユーザの状態変化を検知したか否かを判定する。より具体的には、ヘルスケア端末３００Ａは、取得した生体情報が予め定められた条件を満たしたか否かを判定する。
【００７７】
ヘルスケア端末３００Ａは、取得した生体情報が予め定められた条件を満たしたと判定する場合（ステップＳ８０においてＹＥＳ）、ステップＳ８２において、生体検知信号をヘルスケア用コントローラ４００Ａに送信する。一方、ヘルスケア端末３００Ａは、取得した生体情報が予め定められた条件を満たさないと判定すると、処理をステップＳ３８に進める。
【００７８】
ステップＳ９０において、ヘルスケア用コントローラ４００Ａは、ヘルスケア端末３００Ａから生体検知信号を受信する。ステップＳ９２において、ヘルスケア用コントローラ４００Ａは、受信した生体検知信号を環境モニタリングシステム１０Ａに送信する。ヘルスケア用コントローラ４００ＡにおけるステップＳ９０および９２の処理は、割り込み処理であって、通常の処理とは異なる処理である。ヘルスケア用コントローラ４００Ａは、ステップＳ９２において検知信号を送信した後、一連の割り込み処理を終了する。その後、ヘルスケア用コントローラ４００Ａは、通常の処理に復帰して、ヘルスケア端末２００Ａからの生体情報の受信を待機する。
【００７９】
（ｃ３．環境センサの測定条件を更新）
図１１は、実施形態２に従う環境センサの測定条件を更新する制御について説明する図である。
【００８０】
ステップＳ１００において、環境モニタ用コントローラ２００Ａは、ヘルスケア用コントローラ４００ＡがステップＳ９２（図７参照）で送信した生体検知信号を受信する。ステップＳ１０２において、環境モニタ用コントローラ２００Ａは、生体検知信号の受信に応じて、環境センサの各々に環境情報の取得を命じる取得命令を送信する。
【００８１】
ステップＳ１２０において、環境モニタ端末１００Ａは、環境モニタ用コントローラ２００Ａから取得命令を受信し、ステップＳ１２２において、環境センサにより環境情報（センサデータ）を取得する。ステップＳ１２４において、環境モニタ端末１００Ａは、取得した環境情報を環境モニタ用コントローラ２００Ａに送信する。
【００８２】
ステップＳ１０４において、環境モニタ用コントローラ２００Ａは、環境モニタ端末１００Ａから環境情報を受信し、ステップＳ１０６において、受信した環境情報が予め定められた条件を満たすか否かを判断する。
【００８３】
環境モニタ用コントローラ２００Ａは、受信した環境情報が予め定められた条件を満たすと判断した場合（ステップＳ１０６においてＹＥＳ）、環境センサの測定条件を環境モニタ端末１００Ａに送信する（ステップＳ１０８）。
【００８４】
ステップＳ１０９において、環境モニタ用コントローラ２００Ａは、受信した環境情報（センサデータ）を、生体検知信号と関連付けてデータ記憶部２２０に保存する。すなわち、環境モニタ用コントローラ２００Ａは、測定条件記憶部１７０に格納される測定条件に従い測定された環境情報と、生体検知信号に応じて測定された環境情報とを区別してデータ記憶部２２０に格納する。なお、他の局面において、環境モニタ用コントローラ２００Ａは、生体検知信号の代わりに生体情報と環境情報とを関連付けてデータ記憶部２２０に保存する構成であってもよい。かかる場合、ステップＳ８２において、ヘルスケア用コントローラ４００Ａは、生体検知信号とともに生体情報を環境モニタ用コントローラ２００Ａに送信する。
【００８５】
ステップＳ１２６において、環境モニタ端末１００Ａは、環境モニタ用コントローラ２００Ａから環境センサの測定条件を受信し、ステップＳ１２８において、測定条件記憶部１７０に格納される測定条件を、受信した測定条件を用いて更新する。
【００８６】
上記によれば、実施形態２に従うセンサシステム１Ａは、外部指標としての生体情報の変化を検知し、当該外部指標の変化に応じた環境情報に基づいて、環境センサの測定条件を適切に設定することができる。
【００８７】
以下、環境センサの測定条件を更新する具体例を説明する。一例として、花粉症を対策するために環境センサの測定条件を更新する具体例を説明する例について説明する。なお、この具体例において、ヘルスケア端末３００Ａは、絆創膏型の端末であって、ユーザの胸部に装着されるものとする。また、この具体例において、ヘルスケア端末３００Ａの活動量計は、スリープモードにおいても測定を継続するものとする。
【００８８】
ヘルスケア端末３００Ａは、活動量計３２０に搭載される加速度センサの信号波形から、くしゃみ、および咳を検知する。より具体的には、活動量計３２０は、図示しない記憶装置にくしゃみ、咳に対応する加速度センサの信号パターンを格納する。活動量計３２０は、加速度センサの測定結果から、当該信号パターンに対応する箇所を検出した場合に、くしゃみ、咳を検知する。
【００８９】
ヘルスケア端末３００Ａは、図１０のステップＳ８０において、活動量計３２０の測定結果に基づいてくしゃみ、および咳を検知した場合に、ユーザの状態の変化を検知したと判定し、ヘルスケア用コントローラ４００Ａに生体検知信号を送信する。他の局面において、ヘルスケア端末３００Ａは、活動量計３２０の測定結果に基づき、単位時間当たりにくしゃみ、または咳を検知した回数が所定回数を上回る場合に、生体検知信号を送信する構成であってもよい。
【００９０】
図１１のステップＳ１００および１０２において、環境モニタ用コントローラ２００Ａは、ヘルスケア用コントローラ４００Ａからの生体検知信号の受信に応じて、大気汚染濃度計１４０に対して大気汚染濃度の測定を行う旨の取得命令を送信する。
【００９１】
これに応じて、大気汚染濃度計１４０は、ステップＳ１２２および１２４において、測定条件記憶部１７０に格納される測定条件とは別に、周囲の大気汚染濃度を測定し、測定結果を環境モニタ用コントローラ２００Ａに送信する。
【００９２】
ステップＳ１０６において、環境モニタ用コントローラ２００Ａは、受信した測定結果に基づいて、単位体積あたりの花粉量が所定のしきい値以上であるか否かを判断する。一例として、大気汚染濃度計は、単位体積当たりの微粒子の数を、微粒子の直径の別にカウントする。環境モニタ用コントローラ２００Ａは、直径２０〜４０μｍの微粒子を花粉であると判断する。一例として、環境モニタ用コントローラ２００Ａは、１立方メートルあたりの花粉量が１２個以上であるか否かを判断する。この所定のしきい値は、データ記憶部２２０に格納されているものとする。このしきい値は、医療的知見に基づく値であることが好ましい。
【００９３】
環境モニタ用コントローラ２００Ａは、単位体積あたりの花粉量が所定数以上であると判断した場合、ステップＳ１０８において、大気汚染濃度計１４０の測定精度を上げる測定条件を環境モニタ端末１００Ａに送信する。
【００９４】
なお、他の局面において、ステップＳ１０８において、環境モニタ用コントローラ２００は、ヘルスケア用コントローラ４００Ａに対して、ヘルスケア端末３００Ａの表示部３６０に、周囲の花粉濃度が高い旨を警告する画像を表示させる命令をさらに送信する構成であってもよい。
【００９５】
さらに他の局面において、ステップＳ１０８において、環境モニタ用コントローラ２００Ａは、図示しない空気清浄器などの外部装置に対して、花粉を除去する旨の制御信号を送信する構成であってもよい。当該構成によれば、センサシステム１Ａは、ユーザの花粉症に対する自覚症状が無い、または症状が軽い段階から積極的に花粉を取り除き、花粉症の重症化を防ぐことができる。
【００９６】
ステップＳ１２６および１２８において、環境モニタ端末１００Ａは、受信した測定条件を用いて測定条件記憶部１７０に格納される測定条件を更新する。
【００９７】
上記によれば、センサシステム１Ａは、ヘルスケア端末３００Ａのユーザの状態変化に応じて、自動で環境センサの測定条件を適切に更新することができる。すなわち、センサシステム１Ａは、環境センサの測定条件をユーザごとに最適化することができる。
【００９８】
［Ｄ．実施形態３］
上記の実施形態に従うセンサシステムは、センサ端末とコントローラとから構成されるシステムどうしが通信を行う構成であった。実施形態３に従うセンサシステム１Ｂは、センサ端末どうしが通信を行う構成を採用する。なお、センサシステム１Ｂの基本構成を説明するにあたり、センサシステム１と相違する点についてのみ説明を行う。
【００９９】
（ｄ１．センサシステム１Ｂの構成）
図１２は、実施形態３に従うセンサシステム１Ｂの構成例を説明する図である。センサシステム１Ｂは、環境モニタリングシステム１０Ｂと、ヘルスケアシステム３０Ｂとを含む。環境モニタリングシステム１０Ｂは、複数の環境モニタ端末１００Ｂ１、１００Ｂ２、１００Ｂ３・・・（以下、総称して「環境モニタ端末１００Ｂ」とも称する）を有する。ヘルスケアシステム３０Ｂは、複数のヘルスケア端末３００Ｂ１、３００Ｂ２、３００Ｂ３・・・（以下、総称して「ヘルスケア端末３００Ｂ」とも称する）を有する。
【０１００】
環境モニタ端末１００Ｂは、大気汚染濃度計１４０の代わりに日射計１７５を搭載するとともに、環境モニタ用コントローラ２００に搭載していた諸機能を有する。具体的には、環境モニタ端末１００Ｂは、信号伝達部１８０と、データ記憶部１８５と、制御部１９０とをさらに有する。信号伝達部１８０は、ヘルスケア端末３００Ｂと通信可能に構成される。データ記憶部１８５は、環境センサ（風量計１３０、温度計１５０、湿度計１６０、および日射計１７５）の測定結果（環境センサ）を記憶する。制御部１９０は、データ記憶部１８５に格納される環境情報に基づいて所定の処理を行い、環境センサの測定条件を決定する。また、通信部１１０Ｂは、他の環境モニタ端末１００Ｂと通信可能に構成される。
【０１０１】
ヘルスケア端末３００Ｂは、ヘルスケア用コントローラ４００に搭載していた諸機能をさらに有する。具体的には、ヘルスケア端末３００Ｂは、信号伝達部３７５と、データ記憶部３８０と、制御部３８５とを有する。データ記憶部３８０は、生体センサの測定結果（生体情報）を記憶する。また、通信部３１０Ｂは、他のヘルスケア端末３００Ｂと通信可能に構成される。
【０１０２】
ヘルスケア端末３００Ｂは、生体情報の取得に加え、環境モニタ端末１００Ｂとの通信機能を有する。そのため、ヘルスケア端末３００Ｂは、上記の実施形態で説明したヘルスケア用コントローラとの通信を行う必要がない。すなわち、ヘルスケア端末３００Ｂを装着するユーザは、ヘルスケア用コントローラとの通信可能領域に縛られることなく、自由に移動を行うことができる。さらに、ヘルスケア端末３００Ｂは、データ処理機能も有するため、生体情報などを用いた種々のリアルタイム処理を行うことができる。
【０１０３】
（ｄ２．センサシステム１Ｂでの制御）
図１３は、実施形態３に従うセンサシステム１Ｂの使用例について説明する図である。図１３に示されるように、ヘルスケア端末３００Ｂを装着するユーザは、環境モニタ端末１００Ｂが移動不能に配置される道をジョギングする。この使用例において、センサシステム１Ｂは、熱中症を対策するものとする。
【０１０４】
環境モニタ端末１００Ｂの各々は、環境センサの測定結果から暑さ指数ＷＢＧＴ（Wet Bulb Globe Temperature）を算出する。環境モニタ端末１００Ｂは、暑さ指数ＷＢＧＴが所定値（たとえば２５℃）を上回る場合に、環境の変化を検知したとして、周囲の通信可能なヘルスケア端末３００Ｂを検索する。環境モニタ端末１００Ｂは、通信を確立したヘルスケア端末３００Ｂに対して環境の変化を検知したこと知らせる検知信号を送信する。
【０１０５】
図１３に示される例において、ユーザがジョギングを行うと、ヘルスケア端末３００Ｂに検知信号を送信する環境モニタ端末１００Ｂは、時間の経過とともに、環境モニタ端末１００Ｂ１、１００Ｂ２、１００Ｂ３の順に切り替わる。
【０１０６】
当該構成によれば、ユーザが移動する場合であっても、ヘルスケア端末３００Ｂは、移動先に設置された環境モニタ端末１００Ｂにより、移動先での正確な環境情報に基づいて、精度の高い熱中症（ユーザの状態異常）のリスク通知（検知信号）を受信することができる。
【０１０７】
また、ヘルスケア端末３００Ｂは、環境モニタ端末１００Ｂからの検知信号の受信に応じて、血圧，体温などの生体情報の測定条件をリアルタイムに変更し、ユーザの状態を詳細に監視する。ヘルスケア端末３００は、ユーザの状態が悪化すると表示部３６０にその旨を通知する。これにより、センサシステム１Ｂは、ユーザが熱中症に罹患することを回避させることができる。
【０１０８】
（ｄ３．環境モニタ端末１００Ｂの連携）
環境モニタ端末１００Ｂは、通信部１１０Ｂを介して他の環境モニタ端末１００Ｂと環境情報を共有する構成であってもよい。当該構成によれば、一例として、環境モニタ端末１００Ｂは、他の環境モニタ端末１００Ｂが取得する環境情報に基づいて、ユーザに状態異常（たとえば、熱中症）を引き起こす可能性の高い場所を提示することができる。なお、環境モニタ端末１００Ｂは、図示しないサーバに環境情報を送信し、サーバで環境情報を管理する構成であってもよい。
【０１０９】
また、他の例において、環境モニタ端末１００Ｂは、検知信号をヘルスケア端末３００Ｂに送信したことを知らせる信号を、他の環境モニタ端末１００Ｂに送信する構成であってもよい。一例として、当該信号を受信した環境モニタ端末１００Ｂは、所定期間、ヘルスケア端末３００Ｂへの検知信号の送信を制限してもよい。
【０１１０】
（ｄ４．ヘルスケア端末３００Ｂの連携）
ヘルスケア端末３００Ｂは、他のヘルスケア端末３００Ｂを介して環境モニタ端末１００Ｂと通信を確立する構成であってもよい。当該構成によれば、ヘルスケア端末３００Ｂは、周囲に直接通信可能な環境モニタ端末１００Ｂが存在しない場合であっても、他のヘルスケア端末３００Ｂを介して、ユーザの状態異常に関するリスク通知（検知信号）を受信することができる。
【０１１１】
また、ヘルスケア端末３００Ｂは、他のヘルスケア端末３００Ｂと生体情報を共有することにより、ヘルスケア端末３００Ｂを装着するユーザの生体情報の平均値を算出することができる。一例として、ヘルスケア端末３００Ｂは、ユーザの生体情報と平均値との差分が所定値を上回る場合に、測定条件を更新する構成であってもよい。なお、ヘルスケア端末３００Ｂは、図示しないサーバに生体情報を送信し、サーバで生体情報を管理する構成であってもよい。
【０１１２】
上記の実施形態１〜３に従うセンサシステムは、外部指標として環境情報（または生体情報）を取得し、当該外部指標の変化に基づいて、測定対象としての生体情報（または環境情報）を取得し、当該測定結果に基づいて測定対象の測定条件を変更する構成であったが、これに限られない。他の例として、工場での生産性／安全性向上などにも使用することができる。具体的には、工場の労働者が各種センサを搭載したウェアラブル端末（たとえば、スマートグラス）を身に着ける。また、工場の稼働状況を把握するシステムを構築する。当該環境において、外部指標としての稼働状況が変化したことに応じて、ウェアラブル端末に搭載されたセンサでの測定を行い、当該測定結果に基づいて、センサの測定条件を更新する構成であってもよい。
【０１１３】
以上、本発明者によってなされた発明を実施形態に基づき具体的に説明したが、本発明者は前記実施形態に限定されるものではなく、その要旨を逸脱しない範囲で種々変更可能であることは言うまでもない。
【符号の説明】
【０１１４】
１０  環境モニタリングシステム、１２０，３７０  判定部、１８０，２１０，３７５，４１０  信号伝達部、３０  ヘルスケアシステム、１７０，３５０  測定条件記憶部、１００，１００Ａ，１００Ｂ１，１００Ｂ  環境モニタ端末、１１０，１１０Ｂ，２３０，３１０，３１０Ｂ，４３０  通信部、１３０  風量計、１４０  大気汚染濃度計、１５０  温度計、１６０  湿度計、１６５，３６５  データ格納部、１７５  日射計、１８５，２２０，３８０，４２０  データ記憶部、１９０，２４０，３８５，４５０  制御部、２００，２００Ａ  環境モニタ用コントローラ、３００，３００Ａ，３００Ｂ１，３００Ｂ  ヘルスケア端末、３２０  活動量計、３３０  血圧計、３４０  体温計、３６０  表示部、４００，４００Ａ  ヘルスケア用コントローラ。
【図１】
2017185141.tif 000004
【図２】
2017185141.tif 000005
【図３】
2017185141.tif 000006
【図４】
2017185141.tif 000007
【図５】
2017185141.tif 000008
【図６】
2017185141.tif 000009
【図７】
2017185141.tif 000010
【図８】
2017185141.tif 000011
【図９】
2017185141.tif 000012
【図１０】
2017185141.tif 000013
【図１１】
2017185141.tif 000014
【図１２】
2017185141.tif 000015
【図１３】
2017185141.tif 000016